(57)【特許請求の範囲】
【請求項１】
半筒状の２つの強磁性体を、２つの容器状のカバーにそれぞれ収容し、前記２つの容器状のカバーを合わせることで、カバーに収納されている２つの強磁性体が中空部を形成するとともに閉磁路を形成し、電線の一部を前記閉磁路を形成した２つの強磁性体で包囲することによって、電線に流れる雑音電流あるいは電線が発する雑音電磁波を吸収する構成の雑音吸収具であって、前記容器状のカバーの両端の端板の内側に設けられた掛止爪と、前記強磁性体の両端の面の内側に設けられ、前記掛止爪を掛止する掛止凹部と、前記強磁性体の両端の面の外側に設けられ、前記強磁性体を前記カバーに挿入する際に前記掛止爪をガイドする挿入ガイド溝と、前記カバーの両端の端板における前記掛止爪の両側に設けられ、前記掛止爪のたわみを助成する縦溝とを備え、前記掛止凹部と前記挿入ガイド溝は前記強磁性体の面上において分離して設けられ、前記強磁性体が前記カバーへ挿入されるに際し、まず前記掛止爪は前記挿入ガイド溝によってガイドされ、その後前記強磁性体の両端の面上を通り、最後に前記掛止凹部に掛止されることを特徴とする雑音吸収具。
【発明の詳細な説明】
【０００１】
【発明の属する技術分野】
本発明は、電線に流れる雑音電流あるいは電線が発する雑音電磁波を吸収する雑音吸収具に関する。
【０００２】
【従来の技術】
従来より、電線に流れる雑音電流あるいは電線が発する雑音電磁波を吸収する雑音吸収具としては、たとえば特開平７−２７２９３６号公報で知られている。
【０００３】
図４は、従来の雑音吸収具の分解斜視図である。
【０００４】
図４に示すように、この雑音吸収具は、半筒状の２つの強磁性体２０をそれぞれヒンジ結合した２つの容器状のカバー２１に収容し、前記２つの容器状のカバー２１を合わせることで、カバー２１に収納されている２つの強磁性体２０は中空部を形成するとともに閉磁路を形成し、電線の一部を前記閉磁路を形成した２つの強磁性体２０で包囲することによって、電線に流れる雑音電流あるいは電線が発する雑音電磁波を吸収するようになっている。
【０００５】
前記雑音吸収具における強磁性体２０のカバー２１への取付構造について説明すると、強磁性体２０は、その両端面の内側部に掛止凹部２２を有し、カバー２１は、その両端の端板の内側に掛止爪２３を有し、さらに、この掛止爪２３の両側に容器底面に達する切れ込み２４を有しており、強磁性体２０をカバー２１に嵌め込むと、カバー２１の掛止爪２３が強磁性体２０の掛止凹部２２に掛り合い、強磁性体２０がカバー２１に固定される。ここで、前記掛止爪２３は両側に容器底面に達する切れ込み２４を有するためにたわみ易くなり、強磁性体２０をカバー２１に収納する際の作業を容易になるようにしている。
【０００６】
【発明が解決しようとする課題】
しかしながら、上述する雑音吸収具は、強磁性体２０をカバー２１に収納する際に、カバー２１における掛止爪２３をたわみ易くして作業性を容易にするために、掛止爪２３の両側の切れ込み２４の間隔を狭くすれば良いが、この間隔を狭くすると掛止爪２３の保持部強度が低下し、強磁性体２０をカバー２１に収納する際に強磁性体２０を挿入する力により掛止爪２３の保持部が折れてしまう場合が発生する。逆に、掛止爪２３の保持部強度が低下させないように掛止爪２３の両側の切れ込み２４の間隔を広くすると、強磁性体２０をカバー２１に収納する際にたわみ難くなり、大きな挿入力が必要となるために作業が困難になり、また、掛止爪２３が変形して強磁性体２０をカバー２１に確実に収納できない場合が発生する。
【０００７】
そこで、本発明は上述する従来の問題に留意し、容器状のカバーに強磁性体を容易に挿入でき、また、容器状のカバーに強磁性体を確実に収納できる雑音吸収具を提供することを目的とする。
【０００８】
【課題を解決するための手段】
前記目的を達成するために本発明は、半筒状の２つの強磁性体を、２つの容器状のカバーにそれぞれ収容し、前記２つの容器状のカバーを合わせることで、カバーに収納されている２つの強磁性体が中空部を形成するとともに閉磁路を形成し、電線の一部を前記閉磁路を形成した２つの強磁性体で包囲することによって、電線に流れる雑音電流あるいは電線が発する雑音電磁波を吸収する構成の雑音吸収具であって、前記容器状のカバーの両端の端板の内側に設けられた掛止爪と、前記強磁性体の両端の面の内側に設けられ、前記掛止爪を掛止する掛止凹部と、前記強磁性体の両端の面の外側に設けられ、前記強磁性体を前記カバーに挿入する際に前記掛止爪をガイドする挿入ガイド溝と、前記カバーの両端の端板における前記掛止爪の両側に設けられ、前記掛止爪のたわみを助成する縦溝とを備え、前記掛止凹部と前記挿入ガイド溝は前記強磁性体の面上において分離して設けられ、前記強磁性体が前記カバーへ挿入されるに際し、まず前記掛止爪は前記挿入ガイド溝によってガイドされ、その後前記強磁性体の両端の面上を通り、最後に前記掛止凹部に掛止されることを特徴とするものである。
【０００９】
本発明によれば、強磁性体を容器状のカバーに容易に挿入して収納でき、しかも強磁性体を確実に保持できる雑音吸収具とすることができる。
【００１０】
【発明の実施の形態】
本発明の請求項１に記載の発明は、半筒状の２つの強磁性体を、２つの容器状のカバーにそれぞれ収容し、２つの容器状のカバーを合わせることで、カバーに収納されている２つの強磁性体が中空部を形成するとともに閉磁路を形成し、電線の一部を閉磁路を形成した２つの強磁性体で包囲することによって、電線に流れる雑音電流あるいは電線が発する雑音電磁波を吸収する構成の雑音吸収具であって、容器状のカバーの両端の端板の内側に設けられた掛止爪と、強磁性体の両端の面の内側に設けられ、掛止爪を掛止する掛止凹部と、強磁性体の両端の面の外側に設けられ、強磁性体をカバーに挿入する際に掛止爪をガイドする挿入ガイド溝と、カバーの両端の端板における掛止爪の両側に設けられ、掛止爪のたわみを助成する縦溝とを備え、掛止凹部と挿入ガイド溝は強磁性体の面上において分離して設けられ、強磁性体がカバーへ挿入されるに際し、まず掛止爪は挿入ガイド溝によってガイドされ、その後強磁性体の両端の面上を通り、最後に掛止凹部に掛止されることにより、容器状のカバーに強磁性体を収納する際、カバーの両側の端板の内側に掛止爪があっても、強磁性体をカバーの途中まで挿入することが可能であり、挿入する力を減少させることができ、カバーに強磁性体を収納する作業を容易にするという作用を有する。
【００１４】
以下、本発明の実施の形態について、図面を参照して説明する。
【００１５】
（実施の形態１）
図１は、本発明の実施の形態１の雑音吸収具の分解斜視図、図２は、図１のＡ矢視図、図３は、同雑音吸収具におけるカバーに強磁性体を挿入する際の組立て説明図である。
【００１６】
この雑音吸収具は、図１および図２に示すように凹溝８をもち、その側端を接触面９とする、すなわち半筒状で開磁路の２つの強磁性体１と、この２つの強磁性体１をそれぞれ収容し、かつ、それぞれヒンジ３で結合した２つの容器状のカバー２より構成され、前記２つの容器状のカバー２を合わせることで、カバー２に収納されている２つの開磁路の強磁性体１は中空部を形成するとともに閉磁路を形成し、電線の一部を閉磁路を形成した２つの強磁性体１で包囲することによって、電線に流れる雑音電流あるいは電線が発する雑音電磁波を吸収するようになっている。
【００１７】
つぎに、本発明の重要な特徴である２つの半筒状の強磁性体１を２つの容器状のカバー２に固定する構成について説明する。
【００１８】
前記強磁性体１は、両側の端面の内側に掛止凹部５を、また、両側の端面の外側に挿入用のガイド溝７を有している。前記カバー２は両端の端板１４の内側に、収納した強磁性体１が外れないように強磁性体１を保持する掛止爪４を有している。また、２つのカバー２はカバー合体を保つために、側部にフック１０とフック凸部１１を有している。さらに、カバー２は底板１５の一部が斜め底面１６となっており、この斜め底面１６には２つの弾性片１３を設けている。この２つの弾性片１３はカバー２の長さ方向に対しほぼ対称的に位置させており、カバー２に一体成形している。また、両端の端板１４と底板１５の接合部の一部分に、端板１４のたわみ助成用の切れ込み６を設けており、端板１４の内側面で、かつ、掛止爪４の両側には、掛止爪４部のたわみ助成用の縦溝１２を設けている。
【００１９】
図３を参照してさらに詳しく説明すると、図３（ａ）のように強磁性体１の両側の端面には、カバー２の掛止爪４の挿入ガイド溝７と掛止凹部５を設けているために、カバー２に強磁性体１を収納する際、カバー２の両側の端板１４の内側にある掛止爪４があっても、図３（ｂ）のように挿入ガイド溝７により強磁性体１をカバー２の途中まで挿入することが可能であり、挿入する力を減少させることができる。つまり、掛止爪４に加わる力を減少することができ、従来発生していた掛止爪４の変形を軽減することが可能となり、したがって、図３（ｃ）のようにカバー２に確実に強磁性体１を保持収納することができる。
【００２０】
また、掛止爪４はカバー２の両端の端板１４に完全に固定されおり、掛止爪保持部が存在せず、両端の端板１４と底板１５の接合部の一部分に端板１４のたわみ助成用の切れ込み６を設けているために、強磁性体１をカバー２に収納する際、カバー２の両端の端板１４全体が磁性体収納部とは逆の方向に容易にたわみ、従来のように掛止爪保持部が折れたりすることがなく、強磁性体１をカバー２に容易に収納することができる。
【００２１】
また、カバー２の端板１４の内面部における掛止爪４の両側には、掛止爪４部のたわみ助成用の縦溝１２を入れていることで、カバー２の端板１４が容易にたわみ、強磁性体１を容易に収納することができる。
【００２２】
また、容器状のカバー２の内底に弾性片１３を設けることで、容器状のカバー２に収納した強磁性体１は弾性片１３により押し上げられ、強磁性体１の掛止凹部５にカバー２の掛止爪４を確実に掛け止めることができ、容器状のカバー２内における強磁性体１を安定させることができる。
【００２３】
このように本発明の実施の形態１では、半筒状の２つの強磁性体１を、２つの容器状のカバー２にそれぞれ収容し、前記２つの容器状のカバー２を合わせることで、カバー２に収納されている２つの強磁性体１は中空部を形成するとともに閉磁路を形成し、電線の一部を閉磁路を形成した２つの強磁性体１で包囲することによって、電線に流れる雑音電流あるいは電線が発する雑音電磁波を吸収する構成の雑音吸収具であって、カバー２の両端の端板１４の内側に掛止爪４を設け、強磁性体１の両端の面の内側に前記掛止爪４を掛止する掛止凹部５を、外側に前記掛止爪４の挿入ガイド溝７を設けた構成により、また、カバー２の両端の端板１４と底面１５の接合部の一部分に端板１４のたわみ助成用の切れ込み６を設けた構成により、また、カバー２の両端の端板１４における掛止爪４の両側に掛止爪４部たわみ助成用の縦溝１２を設けた構成により、また、カバー２の底板１５の一部を斜め底面１６とし、この斜め底面１６に弾性片１３を設けた構成により、カバー２に強磁性体１を容易に収納できるとともに、強磁性体１をカバー２に確実に保持できる。
【００２４】
【発明の効果】
以上の説明より明らかなように、本発明によれば、半筒状の２つの強磁性体を、２つの容器状のカバーにそれぞれ収容し、前記２つの容器状のカバーを合わせることで、カバーに収納されている２つの強磁性体が中空部を形成するとともに閉磁路を形成し、電線の一部を閉磁路を形成した２つの強磁性体で包囲することによって、電線に流れる雑音電流あるいは電線が発する雑音電磁波を吸収する構成の雑音吸収具において、強磁性体を容器状のカバーに容易に挿入して収納でき、しかも強磁性体を確実に保持できるという有利な効果が得られる。
【図面の簡単な説明】
【図１】本発明の実施の形態１の雑音吸収具の分解斜視図
【図２】図１のＡ矢視図
【図３】同雑音吸収具におけるカバーに強磁性体を挿入する際の組立て説明図
【図４】従来の雑音吸収具の分解斜視図
【符号の説明】
１  強磁性体
２  カバー
３  ヒンジ
４  掛止爪
５  掛止凹部
６  切れ込み
７  ガイド溝
８  凹溝
９  接触面
１０  フック
１１  フック凸部
１２  縦溝
１３  弾性片
１４  端板
１５  底板
１６  斜め底面
【図１】
0004644908.tif 000002
【図２】
0004644908.tif 000003
【図３】
0004644908.tif 000004
【図４】
0004644908.tif 000005